(57)【要約】【課題】油脂の状態を簡単に測定することができ、且つその精度を向上することのできる油脂状態測定装置を提供する。【解決手段】油脂状態測定装置１は、油脂の状態を測定する。油脂状態測定装置１は、油脂を透過した可視光域の光の明度に基づいて油脂の酸価を測定する測定部３０を備える。【選択図】図１
2019100906.tif 000002
【特許請求の範囲】
【請求項１】
油脂の状態を測定する油脂状態測定装置であって、
前記油脂を透過した可視光域の光の明度に基づいて前記油脂の酸価を測定する酸価測定部を備える
油脂状態測定装置。
【請求項２】
前記酸価測定部は、前記明度と前記酸価との対応関係が定義されたテーブルを記憶する記憶部を備える
請求項１に記載の油脂状態測定装置。
【請求項３】
前記テーブルは、第１のテーブルと、当該第１のテーブルとは前記明度と前記酸価との対応関係が異なる第２のテーブルと、を含み、
前記酸価測定部は、油脂の使用環境に応じて前記第１のテーブルと前記第２のテーブルとを切り替える
請求項２に記載の油脂状態測定装置。
【請求項４】
前記テーブルは、前記明度に対応する前記酸価に幅があるテーブルであり、
前記酸価測定部は、油脂の使用環境に応じて前記明度に対応する酸価を変更する
請求項２に記載の油脂状態測定装置。
【請求項５】
前記酸価測定部は、測定した前記油脂の酸価を電圧値に変換して出力する
請求項１〜４のいずれか一項に記載の油脂状態測定装置。
【発明の詳細な説明】
【技術分野】
【０００１】
本発明は、油脂の状態を測定する油脂状態測定装置に関する。
【背景技術】
【０００２】
食品に含有される油脂が劣化すると、味が変化したり、異臭がしたりする等の問題が生じるため、食品に含有される油脂又は食品の加工に用いられる油脂については基準が設けられている。食品用の油脂が劣化した状態とは、油脂に含まれる脂肪酸に酸素が結合した状態、すなわち油脂が分解されることにより遊離脂肪酸の量が多くなった状態等とされている。このうち、食品の単位量あたりの遊離脂肪酸の量を示すものは「酸価」であり、食品に使用される上記基準において測定項目の一つとして用いられている。
【０００３】
酸価は、試料１ｇ中に含まれる遊離脂肪酸、樹脂酸などを中和するのに用いる水酸価カリウムの量（ｍｇ）としてＪＩＳ−Ｋ００７０等の規格で定義されている。酸価の値を正確に知るには、中和滴定法、電位差滴定法等の測定方法が用いられる。
【０００４】
しかし、食用油脂の状態を日常的に管理するために、調理場等において、それらの測定方法により酸価を測定するのは現実的ではない。そこで、酸価を簡単に測定することができる方法として、試験紙を用いた測定方法が普及している。この試験紙は、指示薬等が濾紙に含浸されたものである。試験紙を用いた測定方法では、ユーザが試験紙に食用油脂を付着させて試験紙の色を変化させ、変化後の色を、酸価と関連付けられた色見本と見比べて食用油脂の酸価の値を判定する。
【０００５】
また、他の方法として、容器内の食用油脂と劣化度を判断する基準となる色を付した色部材とを、ユーザが二つの開口部を有する比色マスクを介して見比べて、食用油脂の劣化度を判定する方法も提案されている（例えば、特許文献１参照）。
【先行技術文献】
【特許文献】
【０００６】
【特許文献１】登録実用新案第３１９６１５７号公報
【発明の概要】
【発明が解決しようとする課題】
【０００７】
しかし、上記の試験紙や比色マスクを用いた測定方法は、簡単に測定することができる利点を有する反面、ユーザが試験紙や容器内の食用油脂の色を肉眼で判定する官能検査である。また、測定に熟達したユーザが酸価の測定を行うとは限らない。このため、当該測定方法を通じて得られた酸価の精度が必ずしも高いとはいえず、測定するユーザの間でばらつきが生じる問題がある。すなわち、試験紙や容器内の食用油脂の色が複数の色見本のいずれとも一致しない場合には、測定対象の色が、どの組み合わせの色見本の中間色となるかを判断し、その組み合わせの色見本の酸価の間の値が、測定対象となる食用油脂の酸価であると概算するしかない。また、色の見え方には個人差があり、測定環境によって色の見え方が異なることがあるため、試験紙や食用油脂の色が同じであっても複数のユーザの間、又は測定環境の違いによって判定結果が異なる場合がある。なお、こうした課題は、食用油脂に限らず、潤滑油等、他の用途で用いられる油脂の酸価を測定する場合においても概ね共通したものである。
【０００８】
本発明は、このような実情に鑑みてなされたものであり、その目的は、油脂の状態を簡単に測定することができ、且つその精度を向上することのできる油脂状態測定装置を提供することにある。
【課題を解決するための手段】
【０００９】
上記課題を解決する油脂状態測定装置は、油脂の状態を測定する油脂状態測定装置であって、前記油脂を透過した可視光域の光の明度に基づいて前記油脂の酸価を測定する酸価測定部を備える。
【００１０】
発明者らは、油脂の酸価と油脂の色のＲ値（ＲＧＢカラーモデルの赤色成分）、Ｇ値（ＲＧＢカラーモデルの緑色成分）、及びＢ値（ＲＧＢカラーモデルの青色成分）との間に相関性があることを見出した。上記構成によれば、油脂の酸価が、油脂中に可視光を透過させることで測定されるため、従来の酸価を求めるための滴定法に比べて、簡単に測定することができる。また、酸価測定部によって透過光の明度に基づいて酸価を測定するため、試験紙を用いた酸価の測定に比べ、精度を高めるとともに、測定者の間で生じるばらつきも抑制することができ、油脂の酸価について客観的な情報を得ることができる。さらに、可視光を用いるため、より高い波長を用いる場合に比べ、減衰しにくいので外乱に強くすることができる。なお、明度は、√（Ｒ＾２＋Ｇ＾２＋Ｂ＾２）に限らず、Ｒ値とＧ値とＢ値とのいずれか２つから得られる、√（Ｒ＾２＋Ｇ＾２）、√（Ｒ＾２＋Ｂ＾２）、√（Ｇ＾２＋Ｂ＾２）も含み、更に、Ｒ値、Ｇ値、Ｂ値の各値も含む。
【００１１】
上記油脂状態測定装置について、前記酸価測定部は、前記明度と前記酸価との対応関係を定義されたテーブルを記憶する記憶部を備えることが好ましい。
上記構成によれば、テーブルに基づいて明度に対応する酸価を求めることができる。
【００１２】
上記油脂状態測定装置について、前記テーブルは、第１のテーブルと、当該第１のテーブルとは前記明度と前記酸価との対応関係が異なる第２のテーブルとを含み、前記酸価測定部は、油脂の使用環境に応じて前記第１のテーブルと前記第２のテーブルとを切り替えることが好ましい。
【００１３】
油脂は、例えば揚げ調理を行う食品に応じて同じ酸価に対する明度が異なる。そこで、上記構成によれば、揚げ調理を行う食品等、油脂の使用環境に応じてテーブルを切り替えることにより、的確な測定を行うことができるようになる。
【００１４】
上記油脂状態測定装置について、前記テーブルは、前記明度に対応する前記酸価に幅があるテーブルであり、前記酸価測定部は、油脂の使用環境に応じて前記明度に対応する酸価を変更することが好ましい。
【００１５】
上記構成によれば、揚げ調理を行う食品等、油脂の使用環境に応じて測定される酸価を変更することができるようになる。
上記油脂状態測定装置について、前記酸価測定部は、測定した前記油脂の酸価を電圧値に変換して出力することが好ましい。
【００１６】
上記構成によれば、測定部から電圧値が入力された装置は、酸価の情報を動作情報に変換する必要がなく、測定部から入力された電圧値に応じて動作することができるようになる。
【発明の効果】
【００１７】
本発明によれば、油脂の状態を簡単に測定することができ、且つその精度を向上することができる。
【図面の簡単な説明】
【００１８】
【図１】油脂状態測定装置の第１の実施形態の概略構成を示す図。
【図２】同実施形態の油脂状態測定装置のフライヤーに対する設置状態を示す図。
【図３】同実施形態の油脂状態測定装置における酸価と光の強度との関係を示すグラフ。
【図４】同実施形態の油脂状態測定装置が用いる相関情報を示すグラフ。
【図５】油脂状態測定装置が用いる相関情報の変形例を示すグラフ。
【発明を実施するための形態】
【００１９】
図１〜図４を参照して、油脂状態測定装置の一実施形態を説明する。本実施形態の油脂状態測定装置は、食用油脂の酸価を測定する装置である。食用油脂は、食材を揚げる揚げ物調理器であるフライヤーに貯留されて加熱されて用いられ、食材を揚げることを繰り返すことで劣化が進行する。
【００２０】
図１に示すように、油脂状態測定装置１は、検出センサ１０と、検出センサ１０に電気的に接続された測定部３０とを備えている。
検出センサ１０は、センサ本体１１と、検出部２０と、センサ本体１１と検出部２０とを接続する一対の第１パイプ２５及び第２パイプ２６とを備えている。センサ本体１１は、ホルダ１５とホルダ１５の上部を覆うカバー１９とを備えている。ホルダ１５及びカバー１９は、アルミニウム合金等の金属、又は樹脂からなる。ホルダ１５の下部には、第１パイプ２５及び第２パイプ２６の基端を固定するパイプ固定部１６がボルトにより固定されている。なお、第１パイプ２５及び第２パイプ２６の固定方法は、溶接であっても、第１パイプ２５及び第２パイプ２６の基端に雄ねじ又は雌ねじを設けてパイプ固定部１６に締結してもよい。また、第１パイプ２５及び第２パイプ２６の基端をセンサ本体１１に直接固定してもよい。
【００２１】
検出部２０には、第１パイプ２５及び第２パイプ２６の先端が嵌装されている。検出部２０と、第１パイプ２５及び第２パイプ２６の先端との固定方法は、溶接であっても、雄ねじ又は雌ねじによる締結であってもよい。検出部２０内には、第１パイプ２５に連通する９０°屈曲した第１連通路２７が形成されるとともに、第２パイプ２６に連通する９０°屈曲した第２連通路２８が形成されている。第１連通路２７の屈曲部には光路を９０°変更するように第１プリズム２１が設けられている。第２連通路２８の屈曲部には光路を９０°変更するように第２プリズム２２が設けられている。検出部２０の中央には、間隙１７が形成されている。検出部２０には、間隙１７を挟んで第１光学窓２３及び第２光学窓２４が密閉されて設けられている。
【００２２】
ホルダ１５は、第１収容部１１ａを備えている。第１収容部１１ａはカバー１９によって覆われている。ホルダ１５及びカバー１９によって区画される空間には、回路基板１２が収容されている。回路基板１２は、ホルダ１５側へボルト１１ｃにより固定されている。回路基板１２の底面には、１つの発光部１３と、１又は複数の受光部１４とが実装されている。
【００２３】
発光部１３は、白色の可視光域の光を出射する光源であって、白色ＬＥＤ等から構成される。発光部１３は、光を第１プリズム２１に出射可能な向きで回路基板１２に固定されている。各受光部１４は、Ｒ（赤）、Ｇ（緑）、Ｂ（青）といった色成分毎に光の強度を検出するセンサであって、フォトダイオードやカラーフィルタを備えている。各受光部１４は、第２プリズム２２側から出射される光を受光可能な位置にそれぞれ固定されている。
【００２４】
ホルダ１５には、発光部１３が出射した光を通過させる第１通過孔１１ｄが貫通している。第１通過孔１１ｄのうち発光部１３側の端部に対して反対側となる端部には第１パイプ２５が設けられている。また、ホルダ１５には、検出部２０を通過し、第１プリズム２１及び第２プリズム２２によって反射した光が第２パイプ２６を通過した後通過する第２通過孔１１ｅが貫通している。受光部１４は、第２通過孔１１ｅを通過した光を受光可能な位置に取り付けられている。第２通過孔１１ｅのうち、受光部１４側の端部に対して反対側となる端部には第２パイプ２６が設けられている。すなわち、発光部１３から出射した光は、第１通過孔１１ｄ→第１パイプ２５→第１連通路２７（第１プリズム２１）→第１光学窓２３→間隙１７→第２光学窓２４→第２連通路２８（第２プリズム２２）→第２パイプ２６→第２通過孔１１ｅを通過して受光部１４に到達する。
【００２５】
また回路基板１２の上面には、信号線及び電源線が束ねられた信号・電源線１８が接続されている。各受光部１４が検出した色成分毎の光強度は、例えば回路基板１２に設けられた変換回路によって電圧信号等に変換されて信号・電源線１８を介して測定部３０に送信される。
【００２６】
測定部３０は、演算部、揮発性記憶部及び不揮発性記憶部を有し、検出センサ１０から入力した検出信号を用いて、不揮発性記憶部に格納されたプログラムを実行することにより各種演算を行う。測定部３０は、酸価測定部に対応する。
【００２７】
測定部３０は、検出センサ１０から入力した検出信号に応じて、透過光のＲ（赤）の強度を示すＲ値、Ｇ（緑）の強度を示すＧ値、Ｂ（青）の強度を示すＢ値を算出する。また、測定部３０は、Ｒ値、Ｇ値、及びＢ値に基づき、明度ΔＥを算出する。
【００２８】
明度ΔＥは、以下の式（１）で求めることができる。なお、「Ｒ」はＲ値、「Ｇ」はＧ値、「Ｂ」はＢ値を示す。また、明度ΔＥは式（１）によらず、明度を測定可能なセンサによって直接測定しても構わない。
【００２９】
【数１】
2019100906.tif 000003
測定部３０は、明度ΔＥと酸価との関係を示す相関情報を不揮発性記憶部に記録している。測定部３０は、相関情報を用いて、算出した明度ΔＥに応じた酸価を求める。そして、測定部３０は、求めた酸価を出力する。
【００３０】
また油脂状態測定装置１は、表示部３１を備えている。表示部３１は、測定部３０から入力した酸価を、例えば「１．０」のように数値で表示する。ユーザは、表示部３１に表示された数値を、劣化の基準とされる基準値と比較して、食用油脂の交換や継ぎ足しの要否を判断する。なお、表示部３１は、酸価が基準値を超えているときに食用油脂の交換を促してもよい。
【００３１】
図２に示すように、検出センサ１０は、フライヤー４０に取り付けられる。フライヤー４０は、食用油脂を貯留する油槽４１を備えている。油槽４１の内部には、油槽４１に貯留された食用油脂を加熱する加熱部４２が設けられている。加熱部４２は、電気式、ガス式等のいずれであってもよい。
【００３２】
油槽４１の下部には、油槽４１内の食用油脂を排出する排出路４３が接続されている。排出路４３の先端は、排出された食用油脂を回収する容器４５内に開口している。排出路４３には、開閉弁４４が取り付けられている。開閉弁４４は、開状態とすることで食用油脂が排出路４３を通過可能とし、閉状態とすることで食用油脂が排出路４３を通過不可能とする。開閉弁４４は例えばバタフライ弁や電磁弁である。
【００３３】
検出センサ１０は、フライヤー４０の油槽４１に取り付けられている。すなわち、検出センサ１０の測定室である間隙１７は、油槽４１内に設けられ、貯留された食用油脂に浸される。なお、検出センサ１０を矢印のように移動させる移動機構（図示略）を備えることが望ましい。検出センサ１０は、油槽４１の食用油脂の加熱温度に対応している。
【００３４】
図３及び図４を参照して、相関情報について説明する。
図３に示すグラフは、横軸が酸価、縦軸が光の強度、すなわちＲ値、Ｇ値、Ｂ値を示す。Ｒ値、Ｇ値、Ｂ値はすべて、酸価が大きくなるに伴い低下する。Ｒ値、Ｇ値、及びＢ値のうち、Ｂ値は、酸価が大きくなるに伴い、最も大きく低下する。また、Ｒ値、Ｇ値、及びＢ値のうち、Ｒ値は、酸価の増大に伴う低下量が最も小さい。
【００３５】
図４に示すグラフの横軸は明度ΔＥであり、縦軸は酸価である。線Ａは、食用油脂に投入される食材が食肉である場合の明度ΔＥ及び酸価の変化を示し、線Ｂは、食用油脂に投入される食材が野菜である場合の明度ΔＥ及び酸価の変化を示し、線Ｃは、食用油脂に投入される食材が食肉及び野菜の両方である場合の明度ΔＥ及び酸価の変化を示す。測定部３０の不揮発性記憶部には、このグラフのデータが、明度ΔＥと酸価との対応関係が定義されたテーブルの状態で記憶されている。このテーブルは、食用油脂の種類毎、食材毎に予め作成された複数のテーブルを含む。なお、複数のテーブルが第１のテーブル及び第２のテーブルに相当する。
【００３６】
次に、油脂状態測定装置１の動作について説明する。
測定部３０の図示しない操作部をユーザが操作して、測定対象の食用油脂が食肉に使用されるか野菜に使用されるかを選択する。測定部３０は、物体情報である食材情報を取得すると、食用油脂の使用環境として食材に応じてテーブルを切り替える。
【００３７】
測定部３０は、移動機構によって検出センサ１０の間隙１７を食用油脂に浸させる。測定部３０は、検出センサ１０から検出信号を取得すると、食用油脂の酸価を算出するとともに、移動機構によって検出センサ１０を食用油脂から取り出させる。なお、測定部３０は、食用油脂の酸価を定期的に測定してもよいし、随時測定してもよい。また、ユーザが食用油脂の酸価を測定するように操作した際に測定部３０が食用油脂の酸価を測定してもよい。
【００３８】
また、検出センサ１０の耐熱温度が油槽４１の食用油脂の加熱温度よりも低い場合には、以下のように動作する。測定部３０は、油槽４１内の食用油脂の温度を検出する温度センサから温度を取得して、油槽４１の食用油脂の温度が検出センサ１０の耐熱温度以下に低下しているか否かを確認する。測定部３０は、油槽４１の食用油脂の温度が検出センサ１０の耐熱温度以下に低下していると確認すると、移動機構によって検出センサ１０の間隙１７を食用油脂に浸させる。測定部３０は、検出センサ１０から検出信号を取得すると、食用油脂の酸価を算出するとともに、移動機構によって検出センサ１０を食用油脂から取り出させる。
【００３９】
ユーザは、検出センサ１０を作動させて、発光部１３から白色光を出射させる。なお、透過光のＲ値とＢ値や、透過光のＧ値とＢ値など、特定の組み合わせでのみ照射する場合は、白色ＬＥＤ等の代わりに、赤色と青色成分のみ含む光や、緑色と青色成分のみ含む光を発光可能なＬＥＤ等を用いることができる。
【００４０】
測定部３０は、受光部１４から入力した信号に基づき、Ｒ値、Ｇ値、及びＢ値を算出し、明度ΔＥを演算する。また、測定部３０は、不揮発性記憶部に格納された相関情報のテーブルを読み出し、選択された食材に応じた情報を抽出する。そして、測定部３０は、相関情報のテーブルに基づき、明度ΔＥに対応する酸価を求める。測定部３０は、酸価を求めると、表示部３１に出力する。
【００４１】
以上説明したように、本実施形態によれば、以下の効果が得られるようになる。
（１）食用油脂の酸価が、食用油脂中に可視光域の光を透過させることで測定されるため、従来の酸価を求めるための滴定法に比べて、簡単に測定することができる。また、測定部３０によって透過光の明度に基づいて酸価を測定するため、試験紙を用いた酸価の測定に比べ、精度を高めるとともに、測定者の間で生じるばらつきも抑制することができ、食用油脂の酸価について客観的な情報を得ることができる。さらに、可視光を用いるため、より高い波長を用いる場合に比べ、減衰しにくいので外乱に強くすることができる。
【００４２】
（２）明度ΔＥと酸価との対応関係が定義されたテーブルに基づいて明度に対応する酸価を求めることができる。
（３）揚げ調理を行う食品等、油脂の使用環境に応じてテーブルを切り替えることにより、的確な測定を行うことができる。
【００４３】
なお、上記実施形態は、これを適宜変更した以下の形態にて実施することもできる。
・上記実施形態では、明度と酸価との対応関係が異なる複数のテーブルを用いた。しかしながら、図５に示すように、明度に対応する酸価に幅があるテーブルを用いて、測定部３０が油脂の使用環境に応じて明度に対応する酸価を変更するようにしてもよい。例えば、初期値は明度に対応する酸価が実線の値に設定されており、野菜のみを揚げ調理するときには明度に対応する酸価を一点鎖線で示す下限寄りに変更し、同じ食用油脂において食肉のみを揚げ調理するときには明度に対応する酸価を破線で示す上限寄りに変更する。このような構成によれば、揚げ調理を行う食品等、油脂の使用環境に応じて測定される酸価を変更することができるようになる。
【００４４】
・上記実施形態では、明度として式（１）にて得られるΔＥを採用したが、明度は、√（Ｒ＾２＋Ｇ＾２＋Ｂ＾２）に限らず、Ｒ値とＧ値とＢ値とのいずれか２つから得られる、√（Ｒ＾２＋Ｇ＾２）、√（Ｒ＾２＋Ｂ＾２）、√（Ｇ＾２＋Ｂ＾２）を採用してもよく、更に、Ｒ値、Ｇ値、Ｂ値の各値を採用してもよい。これらいずれの明度であっても、図３に示すように、酸価の上昇に対して強度が低下するため、油脂の状態を簡単に測定することができ、且つその精度を向上することができる。
【００４５】
・上記実施形態では、受光部１４を、Ｒ（赤）、Ｇ（緑）、Ｂ（青）といった色成分毎に光の強度を検出するセンサとしたが、受光部１４を、Ｒ（赤）、Ｇ（緑）、Ｂ（青）の色成分のうち必要な色成分のみを検出するセンサとしてもよい。
【００４６】
・上記実施形態では、表示部３１は、酸価を数値で表示した。これ以外の態様として、酸価が基準値未満であるか基準値以上であるかをユーザが識別可能に出力してもよい。例えば、測定した酸価が予め設定された基準値未満の場合に青色の光を出射するランプを点灯させ、測定した酸価が基準値以上の場合に赤色の光を出射するランプを点灯させてもよい。あるいは、測定した酸価が基準値未満であるか否かをマークで識別可能に表示部３１に表示してもよい。あるいは、音声、音、振動その他ユーザが識別可能な方法により、測定した酸価が基準値未満であるか否か示しても良い。
【００４７】
・上記実施形態では、測定部３０の測定結果を表示部３１に出力したが、測定部３０の測定結果をフライヤー４０の制御装置に出力して、測定部３０の測定結果をフライヤー４０の制御に用いてもよい。測定部３０は、酸価を電圧値に変換して電圧としてフライヤー４０の制御装置に出力してもよい。このようにすれば、フライヤー４０の制御装置は、電圧値に応じて動作させることができる。
【００４８】
・上記実施形態において、油脂状態測定装置１がフライヤー４０から情報を取得して、フライヤーの揚げ条件（温度、時間等）に基づいてテーブルを変更してもよい。例えば、食肉は１７０℃で揚げ、野菜は１８０℃で揚げると大別できるので、１７０℃で揚げる回数が多いときには、食肉の揚げ調理が多いと判断し、食肉を揚げる使用環境に応じた測定とすることも可能である。
【００４９】
・上記実施形態において、油脂状態測定装置１がＰＯＳ（販売時点情報管理：Ｐｏｉｎｔ  Ｏｆ  Ｓａｌｅｓ  ｓｙｓｔｅｍ）情報を取得して、ＰＯＳ情報に基づいてテーブルを変更してもよい。例えば、発注情報に基づき、食肉の発注量が多ければ、次回は食肉が多く揚げられると判断できるため、食肉を揚げる使用環境に応じた測定することも可能である。
【００５０】
・上記実施形態では、検出センサ１０を、第１プリズム２１と第２プリズム２２とを間隙１７を介して配置した構成とし、発光部１３から出射した光を、間隙１７を通過させて受光部１４にて受光させるようにしたが、検出センサ１０はこの構成に限定されない。例えば、石英ガラス等からなるセルに食用油脂を入れ、発光部１３から出射した光をセルに透過させ、透過光を受光部１４に受光させるようにしてもよい。このようにしても油脂の状態を簡単に測定することができ、且つその精度を向上することができる。
【００５１】
・上記実施形態では、検出センサ１０と測定部３０とを別部材としたが、測定部３０を検出センサ１０に内蔵してもよい。このようにすれば、検出センサ１０と測定部３０とを信号・電源線１８等で接続する必要がなく、検出センサ１０のみで油脂状態を測定することが可能となる。
【００５２】
・上記実施形態では、測定対象を食用油脂としたが、これ以外の油脂であってもよい。例えば、機械の潤滑油等の油脂を測定対象としてもよい。
【符号の説明】
【００５３】
１…油脂状態測定装置、１０…検出センサ、１１…センサ本体、１１ａ…第１収容部、１１ｃ…ボルト、１１ｄ…第１通過孔、１１ｅ…第２通過孔、１２…回路基板、１３…発光部、１４…受光部、１５…ホルダ、１６…パイプ固定部、１７…間隙、１８…信号・電源線、１９…カバー、２０…検出部、２１…第１プリズム、２２…第２プリズム、２３…第１光学窓、２４…第２光学窓、２５…第１パイプ、２６…第２パイプ、２７…第１連通路、２８…第２連通路、３０…測定部、３１…表示部、４０…フライヤー、４１…油槽、４２…加熱部、４３…排出路、４４…開閉弁、４５…容器。
【図１】
2019100906.tif 000004
【図２】
2019100906.tif 000005
【図３】
2019100906.tif 000006
【図４】
2019100906.tif 000007
【図５】
2019100906.tif 000008